(57)【要約】【課題】他のコンピュータと連携して編集した電子カルテデータを適切に管理する。【解決手段】表示制御部３４が、電子カルテデータの編集画面を表示し、編集画面を表示している状態で、予め対応付けられている携帯端末６０から情報が入力されると、電子カルテデータ更新部３６は、電子カルテデータの指定された位置又は予め定められている位置に入力された情報を入力する。そして、編集後の電子カルテデータの保存指示が入力されると、記憶処理部３８は、編集後の電子カルテデータに新たな版数を付与して、電子カルテデータを新たな版数と対応付けてサーバ１０に保存する。【選択図】図３
2019185255.tif 000002
【特許請求の範囲】
【請求項１】
電子カルテデータの編集画面をコンピュータの表示部に表示し、
前記表示部において前記編集画面が表示されている状態で、該コンピュータに予め対応付けられている他のコンピュータから情報が入力されると、前記電子カルテデータの指定された位置又は予め定められている位置に前記情報を入力し、
前記コンピュータにおいて前記情報が入力された前記電子カルテデータの保存指示が入力されると、前記情報が入力された前記電子カルテデータに新たな版数を付与して、該電子カルテデータを該版数と対応付けて記憶する記憶部に記憶する、
処理を前記コンピュータに実行させるための電子カルテ編集プログラム。
【請求項２】
前記情報を入力する処理では、前記情報の種類に対応して予め定められている電子カルテデータの位置に前記情報を入力する、ことを特徴とする請求項１に記載の電子カルテ編集プログラム。
【請求項３】
前記情報は、前記他のコンピュータで撮影された画像の情報、該画像に基づく情報、前記他のコンピュータに入力された文字情報、前記他のコンピュータに表示した複数の情報から選択された情報、の少なくとも１つを含むことを特徴とする請求項１又は２に記載の電子カルテ編集プログラム。
【請求項４】
前記他のコンピュータから、前記情報とともに、前記情報を入力する前記電子カルテデータの位置の情報が入力されることを特徴とする請求項１〜３のいずれか一項に記載の電子カルテ編集プログラム。
【請求項５】
前記記憶部は、前記コンピュータを有する装置及び前記他のコンピュータ以外の装置が有することを特徴とする請求項１〜４のいずれか一項に記載の電子カルテ編集プログラム。
【請求項６】
電子カルテデータの編集画面をコンピュータの表示部に表示し、
前記表示部において前記編集画面が表示されている状態で、該コンピュータに予め対応付けられている他のコンピュータから情報が入力されると、前記電子カルテデータの指定された位置又は予め定められている位置に前記情報を入力し、
前記コンピュータにおいて前記情報が入力された前記電子カルテデータの保存指示が入力されると、前記情報が入力された前記電子カルテデータに新たな版数を付与して、該電子カルテデータを該版数と対応付けて記憶する記憶部に記憶する、
処理を前記コンピュータが実行することを特徴とする電子カルテ編集方法。
【請求項７】
電子カルテデータの編集画面を表示部に表示する表示制御部と、
前記表示部において前記編集画面が表示されている状態で、予め対応付けられている他のコンピュータから情報が入力されると、前記電子カルテデータの指定された位置又は予め定められている位置に前記情報を入力する更新部と、
前記情報が入力された前記電子カルテデータの保存指示を受け付けると、前記情報が入力された前記電子カルテデータに新たな版数を付与して、該電子カルテデータを該版数と対応付けて記憶する記憶部に記憶する記憶処理部と、
を備える情報処理装置。
【発明の詳細な説明】
【技術分野】
【０００１】
本発明は、電子カルテ編集プログラム、電子カルテ編集方法、及び情報処理装置に関する。
【背景技術】
【０００２】
病院及び診療所等の医療機関において、医師等が電子カルテデータの作成、編集、閲覧等を行う場合、診察室に設置されたＰＣ（Personal Computer）等を用いることが多い。また、最近では、診察における利便性向上のため、スマートフォンなどの携帯型の端末を用いて電子カルテデータの編集や閲覧を行うことがある（例えば特許文献１等参照）。
【０００３】
例えば、スマートフォンで撮影された画像を電子カルテデータに貼り付ける場合、電子カルテデータを読み出し、読み出した電子カルテデータに撮影した画像を貼り付け、貼り付け後に電子カルテデータの保存を実行する。
【先行技術文献】
【特許文献】
【０００４】
【特許文献１】特開２０１４−１９８２４４号公報
【発明の概要】
【発明が解決しようとする課題】
【０００５】
しかしながら、ＰＣやスマートフォンにおいて電子カルテデータを編集し、保存すると、保存のたびに電子カルテデータの版数がカウントアップされる。電子カルテデータの性質上、電子カルテデータが頻繁に更新されることは、何らかの問題が発生していることを意味すると考えられているため、版数が大きい電子カルテデータは病院内における監査の対象になることがある。
【０００６】
複数の装置から独立に編集作業が発生している場合には版数をカウントアップする必要があるが、一方で、電子カルテデータへ入力する情報の取得手段としてある装置を利用している場合（ある装置は実質的な編集作業に用いられていない場合）には、版数が上がらないようにする仕組みが必要である。
【０００７】
１つの側面では、本発明は、電子カルテデータを編集する装置と、電子カルテデータへ入力する情報の取得手段である他の装置とが連携して電子カルテデータを編集する場合に、電子カルテデータの版数を管理することが可能な電子カルテ編集プログラム、電子カルテ編集方法及び情報処理装置を提供することを目的とする。
【課題を解決するための手段】
【０００８】
一つの態様では、電子カルテ編集プログラムは、電子カルテデータの編集画面をコンピュータの表示部に表示し、前記表示部において前記編集画面が表示されている状態で、該コンピュータに予め対応付けられている他のコンピュータから情報が入力されると、前記電子カルテデータの指定された位置又は予め定められている位置に前記情報を入力し、前記コンピュータにおいて前記情報が入力された前記電子カルテデータの保存指示が入力されると、前記情報が入力された前記電子カルテデータに新たな版数を付与して、該電子カルテデータを該版数と対応付けて記憶する記憶部に記憶する、処理を前記コンピュータに実行させるためのプログラムである。
【発明の効果】
【０００９】
他のコンピュータと連携して電子カルテデータを編集する場合に、電子カルテデータの版数を管理することができる。
【図面の簡単な説明】
【００１０】
【図１】一実施形態に係る電子カルテシステムの構成を概略的に示す図である。
【図２】図２（ａ）は、医師端末のハードウェア構成を示す図であり、図２（ｂ）は、携帯端末のハードウェア構成を示す図である。
【図３】医師端末及び携帯端末の機能ブロック図である。
【図４】医師端末の全体処理を示すフローチャートである。
【図５】図５（ａ）は、電子カルテデータの編集画面の一例を示す図であり、図５（ｂ）は、医師端末のメモリ上に展開されるデータを示す図である。
【図６】図６（ａ）は、携帯端末の表示部にメニュー画面が表示された状態を示す図であり、図６（ｂ）は、携帯端末の表示部に機能選択画面が表示された状態を示す図である。
【図７】「ＩＤ読取」ボタンがクリックされた場合の携帯端末の処理を示すフローチャートである。
【図８】コードリーダを起動した場合の、携帯端末の表示部の状態を示す図である。
【図９】電文を説明するための図である。
【図１０】ＩＤ認証データを示す図である。
【図１１】図１１（ａ）は、「カメラ起動」ボタンがクリックされた場合の携帯端末の処理を示すフローチャートであり、図１１（ｂ）は、「シェーマ入力」ボタンがクリックされた場合の携帯端末の処理を示すフローチャートである。
【図１２】図１２（ａ）〜図１２（ｄ）は、図１１（ａ）の処理を説明するための図（その１）である。
【図１３】図１３（ａ）〜図１３（ｃ）は、図１１（ａ）の処理を説明するための図（その２）である。
【図１４】図１４（ａ）及び図１４（ｂ）は、図１１（ａ）の処理が実行された場合に生成されるオリジナル画像データ及び手描き画像データを示す図である。
【図１５】携帯端末の表示部にシェーマ選択画面が表示された状態を示す図である。
【図１６】図１６（ａ）及び図１６（ｂ）は、図１１（ｂ）の処理が実行された場合に生成されるオリジナル画像データ及び手描き画像データを示す図である。
【図１７】「音声入力」ボタンがクリックされた場合の携帯端末の処理を示すフローチャートである。
【図１８】携帯端末の表示部に音声入力画面が表示された状態を示す図である。
【図１９】音声入力データを示す図である。
【図２０】図２０（ａ）は、「処方パレット」ボタンがクリックされた場合の携帯端末の処理を示すフローチャートであり、図２０（ｂ）は、「病名パレット」ボタンがクリックされた場合の携帯端末の処理を示すフローチャートである。
【図２１】図２１（ａ）は、携帯端末の表示部に処方選択画面が表示された状態を示す図であり、図２１（ｂ）は、処方データを示す図である。
【図２２】図２２（ａ）は、携帯端末の表示部に病名選択画面が表示された状態を示す図であり、図２２（ｂ）は、病名データを示す図である。
【図２３】携帯端末を入力デバイスとして用いた場合の医師端末の処理を示すフローチャートである。
【発明を実施するための形態】
【００１１】
以下、電子カルテシステムの一実施形態について、図１〜図２３に基づいて詳細に説明する。図１には、一実施形態に係る電子カルテシステム１００の構成が概略的に示されている。本実施形態の電子カルテシステム１００は、病院や診療所などの医療機関において利用されるシステムであり、電子カルテデータの作成や編集、管理等に用いられる。
【００１２】
図１に示すように、電子カルテシステム１００は、サーバ１０と、複数の情報処理装置及びコンピュータとしての医師端末７０と、他のコンピュータとしての携帯端末６０と、を備える。サーバ１０、医師端末７０、携帯端末６０は、インターネットなどのネットワーク８０に接続されている。
【００１３】
サーバ１０は、電子カルテデータを管理する記憶部を有するデータサーバである。
【００１４】
医師端末７０は、医師等のユーザが診察室等において利用する端末であり、例えば医師が患者を診察する際に電子カルテデータの作成や編集に用いるデスクトップ型やノート型のＰＣ（Personal Computer）であるものとする。医師端末７０では、サーバ１０から電子カルテデータを読み出して表示する。また、医師端末７０において作成・編集された電子カルテデータの保存指示が入力されると、電子カルテデータをサーバ１０に送信して、当該電子カルテデータをサーバ１０に保存する。なお、新規作成された電子カルテデータの版数は、「１」に設定される。一方、既存の電子カルテデータを編集した場合、その版数は、既存の電子カルテデータの版数を１だけカウントアップ（＋１）した版数に設定される。この場合、編集後の電子カルテデータは、編集前の電子カルテデータとは別のデータとしてサーバ１０で管理される。
【００１５】
図２（ａ）には、医師端末７０のハードウェア構成が概略的に示されている。図２（ａ）に示すように、医師端末７０は、ＣＰＵ（Central Processing Unit）１９０、ＲＯＭ（Read Only Memory）１９２、ＲＡＭ（Random Access Memory）１９４、記憶部（ここではＨＤＤ（Hard Disk Drive））１９６、ネットワークインタフェース１９７、表示部１９３、入力部１９５、及び可搬型記憶媒体用ドライブ１９９等を備えている。表示部１９３は、液晶ディスプレイ等を含み、入力部１９５は、キーボード、マウス、タッチパネルなどを含む。これら医師端末７０の構成各部は、バス１９８に接続されている。医師端末７０では、ＲＯＭ１９２あるいはＨＤＤ１９６に格納されているプログラム（電子カルテ編集プログラムを含む）、或いは可搬型記憶媒体用ドライブ１９９が可搬型記憶媒体１９１から読み取ったプログラム（電子カルテ編集プログラムを含む）をＣＰＵ１９０が実行することにより、図３に示す各部の機能が実現される。なお、図３の医師端末７０の各部の機能は、例えば、ＡＳＩＣ（Application Specific Integrated Circuit）やＦＰＧＡ（Field Programmable Gate Array）等の集積回路により実現されてもよい。なお、図３の各部の詳細については、後述する。
【００１６】
携帯端末６０は、医師等のユーザが利用するスマートフォンやタブレット型端末などである。携帯端末６０は、電子カルテデータを作成・編集する機能（アプリケーション）や、医師端末７０における電子カルテデータの作成や編集の際に入力デバイスとして利用する機能（アプリケーション）を有している。なお、本実施形態では、携帯端末６０を用いて電子カルテデータを作成・編集する場合には、携帯端末６０において作成・編集された電子カルテデータをサーバ１０に保存することができるが、携帯端末６０を入力用デバイスとして利用する場合には、携帯端末６０から電子カルテデータをサーバ１０に保存することはできないようになっている。
【００１７】
図２（ｂ）には、携帯端末６０のハードウェア構成が概略的に示されている。図２（ｂ）に示すように、携帯端末６０は、ＣＰＵ２９０、ＲＯＭ２９２、ＲＡＭ２９４、記憶部（ＨＤＤ）２９６、ネットワークインタフェース２９７、表示部２９３、タッチパネル２９５、マイク２８７、カメラ２８９、及び可搬型記憶媒体用ドライブ２９９等を備えている。表示部２９３は、液晶ディスプレイ等を含む。タッチパネル２９５は、表示部２９３の表面に設けられ、ユーザの指の動きやタッチペンの動きに応じた情報を入力として受け付け、ＣＰＵ２９０に送信する。マイク２８７は、ユーザの音声データを入力として受け付け、ＣＰＵ２９０に送信する。カメラ２８９は、ユーザによる操作に応じて撮影した画像をＣＰＵ２９０に送信する。これら携帯端末６０の構成各部は、バス２９８に接続されている。携帯端末６０では、ＲＯＭ２９２あるいはＨＤＤ２９６に格納されているプログラム、或いは可搬型記憶媒体用ドライブ２９９が可搬型記憶媒体２９１から読み取ったプログラムをＣＰＵ２９０が実行することにより、図３に示す各部の機能が実現される。なお、図３の携帯端末６０の各部の機能は、例えば、ＡＳＩＣやＦＰＧＡ等の集積回路により実現されてもよい。
【００１８】
ここで、図３に基づいて、携帯端末６０及び医師端末７０が有する機能について、詳細に説明する。
【００１９】
（携帯端末６０の機能について）
図３に示すように、携帯端末６０においては、ＣＰＵ２９０がプログラムを実行することにより、表示制御部２０、入力受付部２２、処理部２４、電文送信部２８、としての機能が実現されている。
【００２０】
表示制御部２０は、ユーザによる操作に応じて、各種画面を表示部２９３上に表示する。
【００２１】
入力受付部２２は、タッチパネル２９５、マイク２８７、カメラ２８９等から入力された情報を処理部２４に送信する。
【００２２】
処理部２４は、入力受付部２２から受信した情報に基づいて、各種処理を実行する。
【００２３】
例えば、携帯端末６０において、電子カルテデータを作成・編集するアプリが起動されている場合、処理部２４は、入力受付部２２が受け付けた情報に基づいて電子カルテデータの作成や編集に関する処理を実行する。具体的には、処理部２４は、ユーザが指定した患者の電子カルテデータをサーバ１０から読み出し、編集画面を表示制御部２０に表示させる。また、ユーザが文字入力等をすると、処理部２４は、入力された情報を入力受付部２２から受け付け、編集画面に文字を入力する。そして、ユーザが電子カルテデータの保存指示を入力した場合には、当該保存指示を入力受付部２２から受信し、電子カルテデータをサーバ１０に送信して、保存する。
【００２４】
また、例えば、携帯端末６０において、携帯端末６０を入力デバイスとして（電子カルテデータへ入力する情報の取得手段として）利用するアプリが起動されている場合には、処理部２４は、カメラ２８９で撮影された画像の情報や、マイク２８７に入力された音声情報、タッチパネル２９５を用いてユーザにより選択された情報等を入力受付部２２から受け付ける。そして、処理部２４は、受け付けた情報を用いて、医師端末７０に送信するデータ（電文）を生成し、生成した電文を電文送信部２８に受け渡す。
【００２５】
電文送信部２８は、処理部２４で生成された電文を医師端末７０に対して送信する。なお、電文送信部２８は、予めペアリングされている医師端末７０に対してのみ、処理部２４で生成された電文を送信することができるものとする。電文送信部２８は、Bluetooth（登録商標）などの通信方式を利用して、医師端末７０に対して電文を送信してもよいし、インターネットやWiFiなどのネットワークを介して電文を送信してもよい。
【００２６】
（医師端末７０の機能について）
図３に示すように、医師端末７０においては、ＣＰＵ１９０がプログラムを実行することにより、入力受付部３０、電子カルテデータ取得部３２、表示制御部３４、更新部としての電子カルテデータ更新部３６、記憶処理部３８、としての機能が実現されている。
【００２７】
入力受付部３０は、ユーザが入力部１９５を介して入力した情報を受け付けるとともに、携帯端末６０（電文送信部２８）から送信されてくる電文を受け付ける。
【００２８】
電子カルテデータ取得部３２は、ユーザが指定した患者の電子カルテデータをサーバ１０から読み出して、表示制御部３４に受け渡す。
【００２９】
表示制御部３４は、電子カルテデータ取得部３２がサーバ１０から読み出した電子カルテデータの編集画面又は電子カルテデータを新規作成するための編集画面を表示部１９３上に表示する。
【００３０】
電子カルテデータ更新部３６は、ユーザが入力部１９５を介して入力した情報を電子カルテデータの編集画面に入力（反映）したり、携帯端末６０から受信した電文に基づいて、電子カルテデータの編集画面を更新する。
【００３１】
記憶処理部３８は、ユーザが入力部１９５を介して電子カルテデータの保存指示を入力した場合に、電子カルテデータをサーバ１０に送信して、保存する。
【００３２】
（電子カルテシステム１００の処理）
次に、電子カルテシステム１００において実行される処理について、詳細に説明する。なお、以下においては、医師端末７０において電子カルテデータの作成又は編集を行う際に、携帯端末６０を入力デバイスとして用いる場合（すなわち、携帯端末６０を電子カルテデータの実質的な編集作業に用いない場合）の処理について説明する。
【００３３】
この処理が実行される前提として、医師端末７０では、図４の処理が実行される。具体的には、医師端末７０では、図４のステップＳ３００において、入力受付部３０が、ユーザから電子カルテデータの作成又は編集要求があるまで待機する。そして、ユーザから電子カルテデータの作成又は編集要求があると、入力受付部３０は、電子カルテデータ取得部３２又は表示制御部３４にその旨を通知する。その後は、ステップＳ３０２に移行する。なお、電子カルテデータの「作成」は、電子カルテデータを新たに作成することを意味し、電子カルテデータの「編集」は、既存の電子カルテデータの一部を変更することを意味する。
【００３４】
ステップＳ３０２に移行すると、表示制御部３４は、新規作成画面又は電子カルテデータの編集画面を表示する。ここで、ユーザが電子カルテデータの作成要求を入力した場合には、表示制御部３４は、電子カルテデータを新規作成するための編集画面を生成して、表示部１９３に表示する。一方、ユーザが患者を指定して電子カルテデータの編集要求を入力した場合には、電子カルテデータ取得部３２は、指定された患者の電子カルテデータをサーバ１０から読み出して表示制御部３４に受け渡す。そして、表示制御部３４は、受け取った電子カルテデータを用いて編集画面を生成し、表示部１９３に表示する。なお、以下においては、説明の便宜上、ユーザから電子カルテデータの編集要求が出されたものとして説明する。
【００３５】
図５（ａ）には、電子カルテデータの編集画面の一例が示されている。編集画面には、Ｓ（subjective）欄、Ｏ（objective）欄、Ａ（assessment）欄、Ｐ（plan）欄、処方欄、病名欄等がある。各欄にすでに文字や画像などの情報が入力されている場合には、編集画面の各欄に文字や画像が表示される。また、電子カルテデータの編集画面を表示した場合には、図５（ｂ）に示すようなデータが医師端末７０のメモリ上に展開される。編集画面の各欄が編集されると、編集内容が図５（ｂ）のメモリ上のデータにも反映されるようになっている。なお、図５（ｂ）のメモリ上のデータには、Ｓ欄、Ｏ欄、Ａ欄、Ｐ欄、処方欄、病名欄に入力された情報を格納する領域のほか、オリジナルレイヤ及び手描きレイヤを格納する領域もある。なお、オリジナルレイヤ及び手描きレイヤを格納する領域の詳細については、後述する。
【００３６】
ステップＳ３０２の処理が行われた後は、ユーザは、電子カルテデータの編集作業を行うことができる。この編集作業において、携帯端末６０を入力デバイスとして用いることができる。以下、電子カルテデータの編集作業において携帯端末６０を入力デバイスとして用いる場合の処理について説明する。
【００３７】
（携帯端末６０の処理について）
ユーザが携帯端末６０を入力デバイスとして用いる場合、図６（ａ）に示すように携帯端末６０の表示部２９３上にメニュー画面を表示した状態で、「電子カルテ入力」のアプリを選択する。この場合、表示制御部２０は、図６（ｂ）に示すような、機能選択画面を表示部２９３上に表示する。機能選択画面においては、「カメラ起動」、「シェーマ入力」、「音声入力」、「ＩＤ読取」、「処方パレット」、「病名パレット」のいずれかを選択（クリック）できるようになっている。以下、各ボタンがクリックされたときの携帯端末６０の処理について詳細に説明する。なお、本実施形態では、携帯端末６０において、図７、図１１（ａ）、図１１（ｂ）、図１７、図２０（ａ）、図２０（ｂ）の処理が同時並行的に実行されているものとする。
【００３８】
＜「ＩＤ読取」ボタンがクリックされた場合＞
電子カルテデータを編集する場合において、ユーザが入力負担を減らすために、携帯端末６０を用いて二次元コードやバーコードを読み取ることで、患者や医師などの情報を入力したい場合がある。この場合、ユーザは、機能選択画面内の「ＩＤ読取」ボタンをクリックする。なお、医師の二次元コードやバーコードは、例えば医師の名札に印刷されており、患者の二次元コードやバーコードは、患者が装着する腕輪等に印刷されているものとする。
【００３９】
図７のステップＳ１０では、入力受付部２２が、機能選択画面から「ＩＤ読取」ボタンがクリックされるまで待機しているため、ユーザが「ＩＤ読取」ボタンをクリックすると、図７のステップＳ１２に移行する。
【００４０】
ステップＳ１２に移行すると、処理部２４は、コードリーダを起動する。このように、コードリーダを起動した場合、処理部２４は、表示制御部２０を介して図８に示すような画面を表示部２９３に表示する。
【００４１】
次いで、ステップＳ１４では、処理部２４は、ユーザの操作に応じて、コード読み取りを実行する。この場合、処理部２４は、ユーザの操作に応じてカメラ２８９を用いた撮影を行い、撮影された画像に含まれる二次元コードやバーコードを解析して患者や医師などの情報を得る。処理部２４は、二次元コードやバーコードから読み取った情報を、医師端末７０に送信する電文に格納する。
【００４２】
次いで、ステップＳ１６では、処理部２４が、送信前の電文を成型する。処理部２４は、成型した電文を電文送信部２８に受け渡す。次いで、ステップＳ１８では、電文送信部２８が、電文を医師端末７０に送信する。その後は、ステップＳ１０に戻る。
【００４３】
ここで、電文は、図９に示すような内容のデータであるものとする。具体的には、電文は、項目Ｎｏ．＝１〜１２の項目を有しており、各項目は、「処理年月日」、「処理時刻」、「端末ＩＤ」、「処理区分」、「ツール区分」、「シーケンスＩＤ」、「電文長」、「出力対象区分」、「形式種別」、「body1」、「body2」、「終端」となっている。項目「処理年月日」及び「処理時刻」のデータの属性は「数値型」であり、処理した年月日及び時刻を示すデータである。項目「端末ＩＤ」のデータの属性は「文字型」であり、携帯端末６０の識別情報を示すデータである。項目「処理区分」のデータの属性は「文字型」であり、「０１」であれば「新規」のデータを意味し、「０２」であれば「更新」のデータを意味し、「０３」であれば「削除」のデータを意味する。なお、本実施形態では、携帯端末６０から新規の情報を入力する例を説明するので、項目「処理区分」は基本的に「０１」となる。
【００４４】
項目「ツール区分」のデータの属性は「数値型」であり、「１」はＩＤ認証、「２」は画像貼付、「３」はシェーマ入力、「４」は音声入力、「５」は処方パレット、「６」は病名パレットを意味する。項目「シーケンスＩＤ」のデータの属性は「数値型」であり、シーケンスの識別情報のデータである。項目「電文長」のデータの属性は「数値型」であり、電文の長さを示すデータである。
【００４５】
項目「出力対象区分」のデータの属性は「数値型」であり、情報を電子カルテデータのどの位置に入力するかを示すデータである。出力対象区分が「０」であれば、「キャレット位置（カーソル位置）」に情報を入力することを意味し、「１」であれば、「Ｓ欄」に情報を入力することを意味する。また、「２」であれば「Ｏ欄」、「３」であれば「Ａ欄」、「４」であれば「Ｐ欄」に情報を入力することを意味する。更に、「５」であれば「処方欄」、「６」であれば「病名欄」に情報を入力することを意味する。
【００４６】
項目「形式種別」のデータの属性は「数値型」であり、データの形式が文字列であれば「０」、データの形式が画像（オリジナルレイヤ）であれば「１」、画像（手描きレイヤ）であれば「２」となる。なお、オリジナルレイヤや手描きレイヤの詳細については、後述する。
【００４７】
項目「body1」のデータの属性は「数値型」、項目「body2」のデータの属性は「文字型」であり、「body1」には、画像のバイナリデータが格納され、「body2」には、文字列のデータが格納される。項目「終端」のデータの属性は「文字型」であり、電文の終わりを示す「Ｚ」が格納される。
【００４８】
図７の処理が実行された場合、図１０に示すような電文が生成される。図１０の電文は、項目「ツール区分」がＩＤ認証を意味する「１」であり、項目「出力対象区分」がキャレット位置を意味する「０」、項目「形式種別」が文字列を意味する「０」となっている。また、二次元コード又はバーコードから読み取った情報は項目「body2」に格納される。なお、ＩＤ認証の場合、出力対象区分を「０」とすることが予め設定されているものとする。
【００４９】
図１０の電文の各項目は、図１０において「入力タイミング」の欄に示すタイミングで入力される。より具体的には、入力タイミングが「１」の項目については、図７のステップＳ１０の段階で入力され、入力タイミングが「２」の項目については、ステップＳ１４の段階で入力され、入力タイミングが「３」の項目については、ステップＳ１６の段階で入力される。なお、図１０の入力タイミングの欄は説明の便宜上図示したものであり、実際の電文には入力タイミングの情報は含まれない。
【００５０】
＜「カメラ起動」ボタンがクリックされた場合＞
医師端末７０において電子カルテデータを編集する場合に、ユーザが携帯端末６０で撮影した画像（例えばレントゲン画像など）を電子カルテデータに貼り付けたい場合がある。この場合、ユーザは、機能選択画面（図６（ｂ））内の「カメラ起動」ボタンをクリックする。
【００５１】
図１１（ａ）のステップＳ２０では、入力受付部２２が、機能選択画面から「カメラ起動」ボタンがクリックされるまで待機しているため、ユーザが「カメラ起動」ボタンをクリックすると、ステップＳ２２に移行する。
【００５２】
ステップＳ２２に移行すると、処理部２４は、出力先（出力対象区分）が予め設定されているか否かを判断する。このステップＳ２２の判断が肯定された場合には、処理部２４は、ステップＳ２８に移行するが、否定された場合には、ステップＳ２４に移行する。なお、ステップＳ２２の判断が肯定される場合とは、ユーザが事前に「カメラ起動」を選択したときに、電子カルテデータのどの位置に画像を貼り付けるかを設定している場合である。
【００５３】
ステップＳ２２の判断が否定されて、ステップＳ２４に移行すると、処理部２４は、出力先選択画面（図１２（ａ））を、表示制御部２０を介して表示部２９３上に表示する。図１２（ａ）の出力先選択画面には、「入力中箇所に貼り付け」、「Ｓ欄」、「Ｏ欄」、「Ａ欄」、「Ｐ欄」のボタンが選択可能に表示されている。「入力中箇所に貼り付け」が選択された場合、電文の「出力対象区分」は「０」となり、「Ｓ欄」、「Ｏ欄」、「Ａ欄」、「Ｐ欄」が選択された場合には、電文の「出力対象区分」は「１」、「２」、「３」、「４」となる。
【００５４】
次いで、ステップＳ２６では、入力受付部２２が、出力先選択画面において出力先が選択されるまで待機し、選択されると、ステップＳ２８に移行する。
【００５５】
ステップＳ２８に移行すると、処理部２４は、カメラ２８９を起動する。そして、処理部２４は、次のステップＳ３０において、ユーザの操作に応じてカメラ２８９を用いて撮影を行う。図１２（ｂ）には、一例として、ユーザがレントゲン画像を撮影したときの携帯端末６０の状態が示されている。
【００５６】
次いで、ステップＳ３２では、処理部２４が、表示制御部２０を介して編集有無確認画面を表示部２９３上に表示する。具体的には、処理部２４は、図１２（ｃ）に示すような「はい」、「いいえ」ボタンを含む編集有無確認画面を表示部２９３上に表示する。ユーザは、撮影した画像に図形等を手描きしたい場合に、「はい」を選択する。
【００５７】
次のステップＳ３４では、処理部２４が、編集有りか否か、すなわち、編集有無確認画面において「はい」が選択されたか否かを判断する。このステップＳ３４の判断が否定された場合には、処理部２４は、ステップＳ４０に移行するが、肯定された場合には、ステップＳ３６に移行する。
【００５８】
ステップＳ３６に移行した場合、処理部２４は、表示制御部２０を介して表示部２９３上に編集画面を表示する。この編集画面は、図１２（ｄ）に示すような画面であり、手描きにより、図形や文字を入力できるような画面である。なお、図１２（ｄ）の編集画面には、手描きする線の色や太さを変更するためのパレットが設けられていてもよい。ユーザは、手描きによる編集が完了すると、編集画面において「終了」ボタンを押す。
【００５９】
次いで、ステップＳ３８では、入力受付部２２が、編集終了となるまで待機する。すなわち、入力受付部２２は、編集画面において「終了」ボタンが押されるまで待機する。そして、ユーザによって「終了」ボタンが押された段階で、ステップＳ４０に移行する。
【００６０】
ステップＳ４０に移行すると、処理部２４は、送信前の電文を成型する。処理部２４は、成型した電文を電文送信部２８に受け渡す。次いで、ステップＳ４２では、電文送信部２８が、電文を医師端末７０に送信する。
【００６１】
ここで、編集後の画像が、図１３（ａ）に示すような画像であっても、処理部２４は、図１３（ｂ）に示すような元画像（オリジナル画像（レイヤ））と図１３（ｃ）に示すような手描き画像（レイヤ）とを別々に送信するものとする。より具体的には、処理部２４は、図１４（ａ）に示すようなオリジナル画像データと図１４（ｂ）に示すような手描き画像データとを生成する。
【００６２】
図１４（ａ）のオリジナル画像データと、図１４（ｂ）の手描き画像データにおいては、項目「処理年月日」、「処理時刻」、「端末ＩＤ」、「処理区分」、「ツール区分」、「シーケンスＩＤ」、「出力対象区分」に格納される情報が同一となっている。これらのうち、項目「処理区分」には、画像貼付を示す「２」が格納されている。また、項目「出力対象区分」には、予め設定されている出力先又は選択された出力先を示す番号が格納されている。なお、項目「出力対象区分」の数字が下線付きであることは、ユーザの選択により変動する数字であることを意味している。
【００６３】
一方、図１４（ａ）、図１４（ｂ）の「形式種別」に関しては、図１４（ａ）のオリジナル画像データが「１」であり、図１４（ｂ）の手描き画像データが「２」となっている。ただし、図１４（ａ）と図１４（ｂ）では、シーケンスＩＤが共通（００１）であるため、図１４（ａ）と図１４（ｂ）のデータを用いることで図１３（ａ）に示すような画像を生成することが可能である。
【００６４】
なお、図１４（ａ）、図１４（ｂ）に示されている、入力タイミング「１」の項目については、図１１（ａ）のステップＳ２０の段階で入力され、入力タイミング「２」の項目については、ステップＳ２６の段階で入力される。また、入力タイミング「３」の項目については、ステップＳ３０の段階で入力され、入力タイミング「４」の項目については、ステップＳ４０の段階で入力される。
【００６５】
なお、ユーザが手描き編集を行わなかった場合には、図１４（ｂ）の手描き画像データは生成されずに、図１４（ａ）のオリジナル画像データのみが生成されるようになっている。
【００６６】
＜「シェーマ入力」ボタンがクリックされた場合＞
電子カルテデータを編集する場合において、ユーザは電子カルテ用のイラスト画像（シェーマ画像）を電子カルテデータに貼り付けたい場合がある。この場合、ユーザは、機能選択画面（図６（ｂ））内の「シェーマ入力」ボタンをクリックする。なお、図１１（ｂ）の処理のうち、太線枠で示す処理以外は、図１１（ａ）と同様である。
【００６７】
図１１（ｂ）のステップＳ５０では、入力受付部２２が、選択画面から「シェーマ入力」ボタンがクリックされるまで待機しているため、ユーザが「シェーマ入力」ボタンをクリックすると、ステップＳ５２に移行する。
【００６８】
ステップＳ５２、Ｓ５４、Ｓ５６において、処理部２４及び入力受付部２２は、前述したステップＳ２２、Ｓ２４，Ｓ２６と同様の処理を実行する。
【００６９】
ステップＳ５８に移行すると、処理部２４は、表示制御部２０を介して表示部２９３上にシェーマ選択画面（図１５）を表示する。そして、次のステップＳ６０では、入力受付部２２は、ユーザがシェーマ選択画面においてシェーマ画像を選択するまで待機する。ユーザがシェーマ画像を選択すると、ステップＳ６２に移行する。
【００７０】
その後は、ステップＳ６２〜Ｓ７２までの処理を、前述した図１１（ａ）のステップＳ３２〜Ｓ４２と同様に実行する。すなわち、シェーマ画像を編集したい場合には、ユーザは手描き編集を行うことができる。
【００７１】
図１６（ａ）、図１６（ｂ）には、シェーマ入力において生成される電文であるオリジナル画像データと手描き画像データの一例が示されている。図１６（ａ）、図１６（ｂ）のデータは、図１４（ａ）、図１４（ｂ）のデータと比較して、項目「ツール区分」が「３（シェーマ入力）」である点が異なっており、データそのもの（body1のデータそのもの）が異なっている。
【００７２】
なお、図１６（ａ）、図１６（ｂ）に示されている、入力タイミング「１」の項目については、図１１（ｂ）のステップＳ５０の段階で入力され、入力タイミング「２」の項目については、ステップＳ５６の段階で入力される。また、入力タイミング「３」の項目については、ステップＳ６０の段階で入力され、入力タイミング「４」の項目については、ステップＳ７０の段階で入力される。
【００７３】
なお、ユーザがシェーマ画像に対して手描き編集を行わなかった場合には、図１６（ｂ）の手描き画像データは生成されずに、図１６（ａ）のオリジナル画像データのみが生成されるようになっている。
【００７４】
＜「音声入力」ボタンがクリックされた場合＞
電子カルテデータを編集する場合において、ユーザは音声入力した情報を電子カルテデータに貼り付けたい場合がある。この場合、ユーザは、機能選択画面（図６（ｂ））内の「音声入力」ボタンをクリックする。なお、図１７の処理のうち、太線枠で示す処理以外は、図１１（ａ）と同様である。
【００７５】
図１７のステップＳ８０では、入力受付部２２が、機能選択画面から「音声入力」ボタンがクリックされるまで待機しているため、ユーザが「音声入力」ボタンをクリックすると、ステップＳ８２に移行する。
【００７６】
ステップＳ８２、Ｓ８４、Ｓ８６においては、処理部２４及び入力受付部２２は、前述したステップＳ２２、Ｓ２４，Ｓ２６（図１１（ａ））と同様の処理を実行する。
【００７７】
その後、ステップＳ８８に移行すると、処理部２４は、表示制御部２０を介して表示部２９３上に音声入力画面（図１８）を表示する。音声入力画面には、一例として、「入力開始」や「入力終了」のボタンが用意されているものとする。ユーザは、音声入力を開始する場合に「入力開始」ボタンをクリックする。
【００７８】
ステップＳ９０では、入力受付部２２が、音声入力を開始する旨の指示を受け付けるまで、すなわち音声入力が開始されるまで待機する。ユーザによって「入力開始」ボタンがクリックされると、ステップＳ９２に移行し、処理部２４は、マイク２８７に入力された音声の認識を開始し、音声を文字に変換し、表示制御部２０を介して表示部２９３上に表示する。
【００７９】
次いで、ステップＳ９４では、入力受付部２２が、音声入力を終了する旨の指示を受け付けたか否か、すなわち「入力終了」ボタンがクリックされたか否かを判断する。このステップＳ９４の判断が否定されている間、処理部２４は、ステップＳ９２の処理を繰り返し実行する。その後、ユーザによって「入力終了」ボタンがクリックされると、ステップＳ９６に移行する。なお、ステップＳ９６、Ｓ９８は、図１１（ａ）のステップＳ４０、Ｓ４２と同様となっている。
【００８０】
図１９には、音声入力において生成される電文である音声入力データの一例が示されている。図１９のデータは、図１０のデータと比較して、項目「ツール区分」が「４（音声入力）」である点が異なっており、データそのもの（body2のデータそのもの）が異なっている。また、項目「出力対象区分」の値が、「０」以外の場合もある点が、図１０とは異なっている。
【００８１】
なお、図１９に示されている、入力タイミング「１」の項目については、図１７のステップＳ８０の段階で入力され、入力タイミング「２」の項目については、ステップＳ８６の段階で入力される。また、入力タイミング「３」の項目については、ステップＳ９２の段階で入力され、入力タイミング「４」の項目については、ステップＳ９６の段階で入力される。
【００８２】
＜「処方パレット」ボタンがクリックされた場合＞
電子カルテデータを編集する場合において、ユーザは、入力負担の軽減のため、処方の名称が多数記載された処方パレット（処方選択画面）から選択した処方を電子カルテデータに貼り付けたい場合がある。この場合、ユーザは、機能選択画面（図６（ｂ））内の「処方パレット」ボタンをクリックする。
【００８３】
図２０（ａ）のステップＳ１０２では、入力受付部２２が、機能選択画面から「処方パレット」ボタンがクリックされるまで待機しているため、ユーザが「処方パレット」ボタンをクリックすると、図２０（ａ）のステップＳ１０４に移行する。
【００８４】
ステップＳ１０４に移行すると、処理部２４は、表示制御部２０を介して表示部２９３上に処方選択画面（図２１（ａ））を表示する。なお、図２１（ａ）の処方選択画面には、多数の処方が選択可能に表示されている。そして、次のステップＳ１０６では、入力受付部２２は、ユーザが処方選択画面において処方を選択するまで待機する。ユーザが処方を選択すると、ステップＳ１０８に移行する。
【００８５】
ステップＳ１０８に移行すると、処理部２４は、送信前の電文を成型する。そして、処理部２４は、成型した電文を電文送信部２８に受け渡す。次いで、ステップＳ１１０では、電文送信部２８が、電文を医師端末７０に送信する。その後は、ステップＳ１０２に戻る。
【００８６】
図２１（ｂ）には、処方パレットから処方を選択した場合に生成される電文である処方データの一例が示されている。図２１（ｂ）のデータは、図１０のデータと比較して、項目「ツール区分」が「５（処方パレット）」である点が異なっており、データそのもの（body2のデータそのもの）が異なっている。また、項目「出力対象区分」の値が、「５（処方欄）」である点が、図１０とは異なっている。
【００８７】
なお、図２１（ｂ）に示されている、入力タイミング「１」の項目については、図２０（ａ）のステップＳ１０２の段階で入力され、入力タイミング「２」の項目については、ステップＳ１０６の段階で入力される。また、入力タイミング「３」の項目については、ステップＳ１０８の段階で入力される。
【００８８】
＜「病名パレット」ボタンがクリックされた場合＞
電子カルテデータを編集する場合において、ユーザは、入力負担の軽減のため、病名の名称が多数記載された病名パレット（病名選択画面）から選択した病名を電子カルテデータに貼り付けたい場合がある。この場合、ユーザは、機能選択画面（図６（ｂ））内の「病名パレット」ボタンをクリックする。
【００８９】
図２０（ｂ）のステップＳ１１２では、入力受付部２２が、機能選択画面から「病名パレット」ボタンがクリックされるまで待機しているため、ユーザが「病名パレット」ボタンをクリックすると、ステップＳ１１４に移行する。
【００９０】
ステップＳ１１４に移行すると、処理部２４は、表示制御部２０を介して表示部２９３上に病名選択画面（図２２（ａ））を表示する。なお、図２２（ａ）の病名選択画面には、多数の病名が選択可能に表示されている。そして、次のステップＳ１１６では、入力受付部２２は、ユーザが処方選択画面において病名を選択するまで待機する。ユーザが病名を選択すると、ステップＳ１１８に移行する。
【００９１】
ステップＳ１１８に移行すると、処理部２４は、送信前の電文を成型する。そして、処理部２４は、成型した電文を電文送信部２８に受け渡す。次いで、ステップＳ１２０では、電文送信部２８が、電文を医師端末７０に送信する。その後は、ステップＳ１１２に戻る。
【００９２】
図２２（ｂ）には、病名パレットから病名を選択した場合に生成される電文である病名データの一例が示されている。図２２（ｂ）のデータは、図１０のデータと比較して、項目「ツール区分」が「６（病名パレット）」である点が異なっており、データそのもの（body2のデータそのもの）が異なっている。また、項目「出力対象区分」の値が、「６（病名欄）」である点が、図１０とは異なっている。
【００９３】
なお、図２２（ｂ）に示されている、入力タイミング「１」の項目については、図２０（ｂ）のステップＳ１１２の段階で入力され、入力タイミング「２」の項目については、ステップＳ１１６の段階で入力される。また、入力タイミング「３」の項目については、ステップＳ１１８の段階で入力される。
【００９４】
以上のように、携帯端末６０では、画像や音声などの情報が入力されるたびに、入力された情報に対応する電文が生成され、医師端末７０に送信されるようになっている。
【００９５】
（医師端末７０の処理について）
次に、携帯端末６０を入力デバイスとして用いた場合の医師端末７０の処理について、図２３のフローチャートに沿って詳細に説明する。なお、図２３の処理は、図４のステップＳ３０４の判断が否定されている間（電子カルテデータの編集を開始してから保存要求が出されるまでの間）に実行される処理である。
【００９６】
図２３の処理では、まず、ステップＳ２００において、入力受付部３０は、携帯端末６０から電文が送信されてくるまで待機する。携帯端末６０から、電文が送信されてきた場合には、ステップＳ２０２に移行し、入力受付部３０は、送信されてきた電文を受信する。なお、入力受付部３０は、受信した電文を電子カルテデータ更新部３６に受け渡す。
【００９７】
次いで、ステップＳ２０４では、電子カルテデータ更新部３６が、受け取った電文のツール区分を解析する。
【００９８】
＜ツール区分＝ＩＤ認証の場合＞
ステップＳ２０４の解析の結果、ツール区分が「１」（ＩＤ認証）であった場合、すなわち、電文が、図１０に示すようなＩＤ認証データであった場合には、ステップＳ２０６に移行する。
【００９９】
ステップＳ２０６に移行すると、電子カルテデータ更新部３６は、キャレット位置（表示部１９３におけるカーソル位置）を取得する。次いで、ステップＳ２０８では、電子カルテデータ更新部３６は、電文（図１０のＩＤ認証データ）の「body2」に格納されている情報を抽出し、図５（ｂ）に示すメモリ上のデータにおける、キャレット位置に対応する位置に抽出した情報を格納する。その後は、ステップＳ２２２に移行し、電子カルテデータ更新部３６は、表示制御部３４を介して、表示部１９３上に表示されている電子カルテデータの編集画面をメモリ上のデータで更新して表示する。すなわち、携帯端末６０から受信したデータを電子カルテデータの編集画面の所定位置に入力する。
【０１００】
＜ツール区分＝画像貼付又はシェーマ入力の場合＞
ステップＳ２０４の解析の結果、ツール区分が「２」（画像貼付）又は「３」（シェーマ入力）であった場合、すなわち、電文が、図１４（ａ）、図１４（ｂ）に示すようなデータ又は図１６（ａ）、図１６（ｂ）に示すようなデータであった場合には、ステップＳ２１０に移行する。
【０１０１】
ステップＳ２１０に移行すると、電子カルテデータ更新部３６は、オリジナルレイヤの「body1」のデータ（例えば、図１３（ｂ）のデータ）をオリジナルレイヤの元画像としてメモリ（図５（ｂ））上に格納する。次いで、ステップＳ２１２では、電子カルテデータ更新部３６は、オリジナルレイヤとシーケンスＩＤが一致する手描きレイヤの「body1」のデータ（例えば、図１３（ｃ）のデータ）を手描きレイヤの元画像としてメモリ（図５（ｂ））上に格納する。なお、電子カルテデータ更新部３６は、オリジナル画像データしか受信していない場合には、ステップＳ２１２の処理を省略する。
【０１０２】
次いで、ステップＳ２１４では、電子カルテデータ更新部３６は、オリジナルレイヤの元画像と手描きレイヤの元画像を用いて、サムネイル画像（例えば、図１３（ａ）のデータ）を作成する。なお、電子カルテデータ更新部３６は、オリジナル画像データしか受信していない場合には、オリジナルレイヤの元画像をサムネイル画像とする。
【０１０３】
次いで、ステップＳ２１６では、電子カルテデータ更新部３６は、出力対象区分に基づいてサムネイル画像をメモリ上に格納する。図１４（ａ）、図１４（ｂ）のように、出力対象区分が「０」であれば、メモリ上のキャレット位置に対応する位置にサムネイル画像を格納する。その後は、ステップＳ２２２に移行し、電子カルテデータ更新部３６は、表示制御部３４を介して、表示部１９３上に表示されている電子カルテデータの編集画面をメモリ上のデータで更新して表示する。すなわち、携帯端末６０から受信した画像を電子カルテデータの編集画面の所定位置に入力する。
【０１０４】
＜ツール区分＝音声入力の場合＞
ステップＳ２０４の解析の結果、ツール区分が「４」（音声入力）であった場合、すなわち、電文が、図１９に示すような音声入力データであった場合には、ステップＳ２１８に移行する。
【０１０５】
ステップＳ２１８に移行すると、電子カルテデータ更新部３６は、出力対象区分に基づいて「body2」のデータをメモリ上に格納する。図１９のように、出力対象区分が「０」であれば、メモリ上のキャレット位置に対応する位置に「body2」のデータを格納する。その後は、ステップＳ２２２において、電子カルテデータ更新部３６は、表示制御部３４を介して、表示部１９３上に表示されている電子カルテデータをメモリ上のデータで更新して表示する。
【０１０６】
＜ツール区分＝処方パレット又は病名パレットの場合＞
ステップＳ２０４の解析の結果、ツール区分が「５」（処方パレット）又は「６」（病名パレット）であった場合、すなわち、電文が、図２１（ｂ）又は図２２（ｂ）に示すようなデータであった場合には、ステップＳ２２０に移行する。
【０１０７】
ステップＳ２２０に移行すると、電子カルテデータ更新部３６は、「body2」のデータをメモリ上（処方欄又は病名欄）に格納する。図２１（ｂ）のように、出力対象区分が「５」であれば、メモリ上の処方欄に対応する位置に「body2」のデータを格納する。また、図２２（ｂ）のように、出力対象区分が「６」であれば、メモリ上の病名欄に対応する位置に「body2」のデータを格納する。その後は、ステップＳ２２２に移行し、電子カルテデータ更新部３６は、表示制御部３４を介して、表示部１９３上に表示されている電子カルテデータをメモリ上のデータで更新して表示する。
【０１０８】
以上のようにして、図２３の処理が実行された後は、図４のステップＳ３０４の判断が肯定されるまで、図２３の処理を繰り返し実行する。
【０１０９】
図４に戻り、医師端末７０において、ユーザが電子カルテデータの編集（上述した携帯端末６０を入力デバイスとして用いた入力も含む）を行い、編集を全て終了すると、ユーザは保存要求を入力する。この場合、入力受付部３０は、ステップＳ３０６に移行する。
【０１１０】
ステップＳ３０６に移行すると、記憶処理部３８は、電子カルテデータが新規作成の場合には、版数を「１」として、サーバ１０に対して電子カルテデータを送信して、保存する。一方、ユーザが既存の電子カルテデータを編集した場合には、記憶処理部３８は、版数を１だけカウントアップ（＋１）して、サーバ１０に対して電子カルテデータを送信して、保存する。この場合、編集後の電子カルテデータは、編集前の電子カルテデータ（既存の電子カルテデータ）と版数が異なるため、上書き保存されずに、異なるデータとして管理されるようになっている。
【０１１１】
このように、本実施形態では、携帯端末６０を入力デバイスとして用いた場合には、携帯端末６０においては電子カルテデータの保存ができないようになっている。これにより、携帯端末６０を入力デバイスとして使用した場合に、電子カルテデータの版数を必要以上に上げることなく、電子カルテデータを管理することができる。
【０１１２】
なお、図６（ａ）のメニュー画面において、ユーザが「電子カルテデータ編集」を選択した場合には、携帯端末６０において、医師端末７０と同様、電子カルテデータの編集を行うことができる。この場合、編集後の電子カルテデータを保存するときには、医師端末７０と同様、版数を１だけカウントアップ（＋１）して、サーバ１０に対して電子カルテデータを送信して、保存する。この場合、編集後の電子カルテデータは、編集前の電子カルテデータと版数が異なるため、上書き保存されずに、異なるデータとして管理されるようになっている。
【０１１３】
以上、詳細に説明したように、本実施形態によると、表示制御部３４が、電子カルテデータの編集画面を表示し、編集画面を表示している状態で、予め対応付けられている携帯端末６０から情報が入力されると、電子カルテデータ更新部３６は、電子カルテデータの指定された位置又は予め定められている位置に入力された情報を入力する。そして、編集後の電子カルテデータの保存指示が入力されると、記憶処理部３８は、編集後の電子カルテデータに新たな版数を付与してサーバ１０に保存する。これにより、本実施形態では、携帯端末６０を入力デバイスとして利用した場合に、携帯端末６０で電子カルテデータを編集して保存する場合のように、版数を上げないようにすることができる。したがって、医師端末７０と携帯端末６０とを連携させて電子カルテデータを編集する場合に、電子カルテデータを適切に管理することが可能となる。
【０１１４】
また、本実施形態では、携帯端末６０から入力される情報の種類に対応して、情報を入力する位置を予め設定しておくことができる。これにより、情報の種類によって、必ずある欄に入力することが決まっているような場合（本実施形態では、ＩＤ認証データ、処方データ、病名データの場合）に、ユーザが入力する位置を都度設定しなくてもよくなる。これにより、ユーザの利便性を向上することができる。
【０１１５】
また、本実施形態では、携帯端末６０から送信されてくる電文に、情報を入力する位置の情報が含まれている。これにより、医師端末７０では、電文を参照することで、情報を入力する位置を特定することができる。
【０１１６】
また、本実施形態では、電子カルテデータをサーバ１０に記憶するため、複数の医師端末７０や携帯端末６０において、電子カルテデータを共有することができる。
【０１１７】
なお、上記実施形態では、電子カルテデータをサーバ１０に記憶する場合について説明したが、これに限らず、電子カルテデータは、医師端末７０に記憶されてもよい。
【０１１８】
なお、上記実施形態では、医師端末７０がＰＣである場合について説明したが、これに限らず、医師端末７０がスマートフォンやタブレット型端末であってもよい。
【０１１９】
なお、上記実施形態では、携帯端末６０において、図６（ａ）のメニュー画面において「電子カルテ編集」と「電子カルテ入力」のいずれかを選択できる場合について説明したが、これに限られるものではない。すなわち、携帯端末６０において「電子カルテ編集」ができないようになっていてもよい。
【０１２０】
なお、上記実施形態では、携帯端末６０のタッチパネル２９５、マイク２８７、カメラ２８９から得られる情報を医師端末７０に送信し、電子カルテデータに入力する場合について説明したが、これに限られるものではない。すなわち、携帯端末６０が他の入力装置を有している場合には、当該他の入力装置（例えば温度センサ、指紋センサなどのセンサ類など）から得られる情報を医師端末７０に送信し、電子カルテデータに入力することとしてもよい。
【０１２１】
なお、上記の処理機能は、コンピュータによって実現することができる。その場合、処理装置が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記憶媒体（ただし、搬送波は除く）に記録しておくことができる。
【０１２２】
プログラムを流通させる場合には、例えば、そのプログラムが記録されたＤＶＤ（Digital Versatile Disc）、ＣＤ−ＲＯＭ（Compact Disc Read Only Memory）などの可搬型記憶媒体の形態で販売される。また、プログラムをサーバコンピュータの記憶装置に格納しておき、ネットワークを介して、サーバコンピュータから他のコンピュータにそのプログラムを転送することもできる。
【０１２３】
プログラムを実行するコンピュータは、例えば、可搬型記憶媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記憶媒体から直接プログラムを読み取り、そのプログラムに従った処理を実行することもできる。また、コンピュータは、サーバコンピュータからプログラムが転送されるごとに、逐次、受け取ったプログラムに従った処理を実行することもできる。
【０１２４】
上述した実施形態は本発明の好適な実施の例である。但し、これに限定されるものではなく、本発明の要旨を逸脱しない範囲内において種々変形実施可能である。
【０１２５】
なお、以上の実施形態の説明に関して、更に以下の付記を開示する。
（付記１）  電子カルテデータの編集画面をコンピュータの表示部に表示し、
前記表示部において前記編集画面が表示されている状態で、該コンピュータに予め対応付けられている他のコンピュータから情報が入力されると、前記電子カルテデータの指定された位置又は予め定められている位置に前記情報を入力し、
前記コンピュータにおいて前記情報が入力された前記電子カルテデータの保存指示が入力されると、前記情報が入力された前記電子カルテデータに新たな版数を付与して、該電子カルテデータを該版数と対応付けて記憶する記憶部に記憶する、
処理を前記コンピュータに実行させるための電子カルテ編集プログラム。
（付記２）  前記情報を入力する処理では、前記情報の種類に対応して予め定められている電子カルテデータの位置に前記情報を入力する、ことを特徴とする付記１に記載の電子カルテ編集プログラム。
（付記３）  前記情報は、前記他のコンピュータで撮影された画像の情報、該画像に基づく情報、前記他のコンピュータに入力された文字情報、前記他のコンピュータに表示した複数の情報から選択された情報、の少なくとも１つを含むことを特徴とする付記１又は２に記載の電子カルテ編集プログラム。
（付記４）  前記他のコンピュータから、前記情報とともに、前記情報を入力する前記電子カルテデータの位置の情報が入力されることを特徴とする付記１〜３のいずれかに記載の電子カルテ編集プログラム。
（付記５）  前記記憶部は、前記コンピュータを有する装置及び前記他のコンピュータ以外の装置が有することを特徴とする付記１〜４のいずれかに記載の電子カルテ編集プログラム。
（付記６）  電子カルテデータの編集画面をコンピュータの表示部に表示し、
前記表示部において前記編集画面が表示されている状態で、該コンピュータに予め対応付けられている他のコンピュータから情報が入力されると、前記電子カルテデータの指定された位置又は予め定められている位置に前記情報を入力し、
前記コンピュータにおいて前記情報が入力された前記電子カルテデータの保存指示が入力されると、前記情報が入力された前記電子カルテデータに新たな版数を付与して、該電子カルテデータを該版数と対応付けて記憶する記憶部に記憶する、
処理を前記コンピュータが実行することを特徴とする電子カルテ編集方法。
（付記７）  電子カルテデータの編集画面を表示部に表示する表示制御部と、
前記表示部において前記編集画面が表示されている状態で、予め対応付けられている他のコンピュータから情報が入力されると、前記電子カルテデータの指定された位置又は予め定められている位置に前記情報を入力する更新部と、
前記情報が入力された前記電子カルテデータの保存指示を受け付けると、前記情報が入力された前記電子カルテデータに新たな版数を付与して、該電子カルテデータを該版数と対応付けて記憶する記憶部に記憶する記憶処理部と、
を備える情報処理装置。
（付記８）  前記更新部は、前記情報の種類に対応して予め定められている電子カルテデータの位置に前記情報を入力する、ことを特徴とする付記７に記載の情報処理装置。
（付記９）  前記情報は、前記他のコンピュータで撮影された画像の情報、該画像に基づく情報、前記他のコンピュータに入力された文字情報、前記他のコンピュータに表示した複数の情報から選択された情報、の少なくとも１つを含むことを特徴とする付記７又は８に記載の情報処理装置。
（付記１０）  前記他のコンピュータから、前記情報とともに、前記情報を入力する前記電子カルテデータの位置の情報が入力されることを特徴とする付記７〜９のいずれかに記載の情報処理装置。
（付記１１）  前記記憶部は、前記情報処理装置及び前記他のコンピュータ以外の装置が有することを特徴とする付記７〜１０のいずれかに記載の情報処理装置。
【符号の説明】
【０１２６】
１０  サーバ
３４  表示制御部
３６  電子カルテデータ更新部（更新部）
３８  記憶処理部
６０  携帯端末（他のコンピュータ）
７０  医師端末（情報処理装置、コンピュータ）
１９３  表示部
【図１】
2019185255.tif 000003
【図２】
2019185255.tif 000004
【図３】
2019185255.tif 000005
【図４】
2019185255.tif 000006
【図５】
2019185255.tif 000007
【図６】
2019185255.tif 000008
【図７】
2019185255.tif 000009
【図８】
2019185255.tif 000010
【図９】
2019185255.tif 000011
【図１０】
2019185255.tif 000012
【図１１】
2019185255.tif 000013
【図１２】
2019185255.tif 000014
【図１３】
2019185255.tif 000015
【図１４】
2019185255.tif 000016
【図１５】
2019185255.tif 000017
【図１６】
2019185255.tif 000018
【図１７】
2019185255.tif 000019
【図１８】
2019185255.tif 000020
【図１９】
2019185255.tif 000021
【図２０】
2019185255.tif 000022
【図２１】
2019185255.tif 000023
【図２２】
2019185255.tif 000024
【図２３】
2019185255.tif 000025